(57)【要約】【課題】本発明は、端子がケーブルに簡単に連接されるプラグコネクタを提供することを目的とする。【解決手段】本発明のプラグコネクタは、収納孔が形成される絶縁性本体と、前記絶縁性本体に固着される一列の上端子及び一列の下端子を含む複数の端子と、を備える。前記プラグコネクタの後端には、第１保持面及び第２保持面を有するプラットフォームが設けられる。前記複数の端子は、パワー端子と、接地端子と、検出端子と、を備える。前記上端子と下端子とはそれぞれ、前記収納孔の対向する二つの表面に配置される接触ビーム及び前記プラットフォームに延在する連接脚を有する。前記第１保持面には、少なくとも一つの前記パワー端子の連接脚と、一つの前記接地端子の連接脚とが露出される。前記第２保持面には、少なくとも一つの前記検出端子の連接脚が露出される。【選択図】図２
2016213187.tif 000002
【特許請求の範囲】
【請求項１】
収納孔が形成される絶縁性本体と、
前記絶縁性本体に固着される一列の上端子及び一列の下端子を含む複数の端子と、
を備えるプラグコネクタであって、
前記プラグコネクタの後端には、第１保持面及び第２保持面を有するプラットフォームが設けられ、
前記複数の端子は、パワー端子と、接地端子と、検出端子と、を備え、前記上端子と下端子とはそれぞれ、前記収納孔の対向する二つの表面に配置される接触ビーム及び前記プラットフォームに延在する連接脚を有し、前記第１保持面には、少なくとも一つの前記パワー端子の連接脚と、一つの前記接地端子の連接脚とが露出され、前記第２保持面には、少なくとも一つの前記検出端子の連接脚が露出されることを特徴とするプラグコネクタ。
【請求項２】
前記複数の端子は一対の信号端子を備え、前記プラットフォームの前記第１保持面には、前記一対の信号端子の連接脚が露出され、前記パワー端子の連接脚と前記接地端子の連接脚とが、前記一対の信号端子の連接脚の両側に配置されることを特徴とする請求項１に記載のプラグコネクタ。
【請求項３】
前記プラグコネクタは、上絶縁性本体及び前記上絶縁性本体に固着される複数の上端子を有する上端子モジュールと、下絶縁性本体及び前記下絶縁性本体に固着される複数の下端子を有する下端子モジュールと、を備え、
前記上端子モジュールと下端子モジュールとが前記絶縁性本体に取り付けられ、前記プラットフォームが、前記上端子モジュール及び前記下端子モジュールに形成され、前記収納孔の後方に位置し、
各上端子が、前記上絶縁性本体に嵌合される脚部を有し、各下端子が、前記下絶縁性本体に嵌合される脚部を有し、
前記上端子は、上パワー端子と、上接地端子と、を有し、前記上パワー端子の脚部と、前記上接地端子の脚部とが、前記上絶縁性本体の下表面に露出され、
前記下端子は、下パワー端子と、下接地端子と、を有し、前記下パワー端子の脚部と、前記下接地端子の脚部とが、前記下絶縁性本体の上表面に露出され、
前記上パワー端子が前記下パワー端子と接触し、前記上接地端子が前記下接地端子と接触し、
前記上パワー端子の前記脚部及び前記下パワー端子の前記脚部のうちの一方が、前記パワー端子の前記連接脚が構成され、
前記上接地端子の前記脚部及び前記下接地端子の前記脚部のうちの一方が、前記接地端子の前記連接脚が構成されることを特徴とする請求項１又は請求項２に記載のプラグコネクタ。
【請求項４】
前記上接地端子及び前記下接地端子の隣にはスリットが形成され、前記上パワー端子及び前記下パワー端子の隣にはスリットが形成され、半田材料が前記スリットに充填されることによって、前記上接地端子が前記下接地端子を接触することを補強し、前記上パワー端子が前記下パワー端子を接触することを補強することを特徴とする請求項３に記載のプラグコネクタ。
【請求項５】
前記プラグコネクタは、前記上端子モジュールと前記下端子モジュールの間に配置される金属部品を備え、前記金属部品が、一対の係合ビームと、尾部と、を有し、前記一対の係合ビームには、互いに向かって突出する一対の係合鉤が設けられ、前記尾部が、前記上接地端子の前記脚部、或いは前記下接地端子の前記脚部に当接することを特徴とする請求項３に記載のプラグコネクタ。
【請求項６】
一つの前記上接地端子と一つの前記下接地端子とはそれぞれ、対応の接触ビームの隣に、前記対応の接触ビームと一体に延在する更なる接触ビームが設けられ、前記更なる接触ビームが、前後方向において前記対応の接触ビームより、前向きに突出し、前記前後方向と直交する横方向において、前記対応の接触ビームより、前記収納孔から更に離れることを特徴とする請求項３に記載のプラグコネクタ。
【請求項７】
前記絶縁性本体には、後面に貫通する複数の端子溝が形成され、前記上端子モジュール及び下端子モジュールが、後方から前方に向かって前記絶縁性本体に挿入され、各端子溝の前端には、絶縁片が設けられ、前記上端子の前記接触ビームと前記下端子の前記接触ビームとは前記絶縁片の内側に位置することを特徴とする請求項３に記載のプラグコネクタ。
【請求項８】
前記複数の端子は一対の信号端子を備え、前記プラットフォームの第１保持面には、前記一対の信号端子の連接脚が露出され、前記パワー端子の前記連接脚と前記接地端子の前記連接脚とは、前記一対の信号端子の前記連接脚の両側に配置され、前記第２保持面には、更なるパワー端子の連接脚及び更なる接地端子の連接脚が露出され、前記検出端子の前記連接脚が前記更なるパワー端子の前記連接脚と前記接地端子の前記連接脚との間に位置することを特徴とする請求項１に記載のプラグコネクタ。
【請求項９】
前記上端子は、正信号を転送する前記信号端子と、負信号を転送する前記信号端子と、一対の前記パワー端子と、一対の前記接地端子と、前記検出端子と、を有し、
前記下端子は、一対の前記接地端子と、一対の前記パワー端子と、を有し、
前記下端子の一対の前記接地端子が、第１連接橋によって連接され、前記第１連接橋が折り返して前向きに延在することを特徴とする請求項８に記載のプラグコネクタ。
【請求項１０】
前記プラグコネクタの後端にはケーブルを連接し、前記ケーブルが、前記第１保持面に露出される前記連接脚に連接する一対の信号線と、パワー線と、接地線と、前記第２保持面に露出される前記検出端子の前記連接脚に連接する検出線と、を有し、
前記第２保持面には、前記検出端子の前記連接脚に連接する第１連接点と、前記更なる接地端子の前記連接脚、或いは前記更なるパワー端子の前記連接脚に連接する第２連接点と、を有する抵抗が配置されることを特徴とする請求項８に記載のプラグコネクタ。
【発明の詳細な説明】
【技術分野】
【０００１】
本発明は、電気コネクタに関し、特に、正面で或いは反面で挿入可能なプラグコネクタタに関するものである。
【背景技術】
【０００２】
従来のソケットコネクタは、絶縁性本体と、前記絶縁性本体に固着される複数のソケット端子と、前期絶縁性本体に配置される金属片と、を備える。前記複数のソケット端子は、ＵＳＢ３．０信号を転送する十二つの端子を含むか、或いは、ＵＳＢ２．０信号を転送する八つの端子を含む。前記プラグコネクタは、十二つ、或いは十一つのプラグ端子を含む。
【０００３】
前記プラグ端子の数量が多く、回路基板によってケーブルに連接される。製造費用が高い。
【発明の概要】
【発明が解決しようとする課題】
【０００４】
そこで、本発明の目的は、端子がケーブルに簡単に連接されるプラグコネクタを提供することにある。
【課題を解決するための手段】
【０００５】
前記目的を達成するために、本発明のプラグコネクタは、収納孔が形成される絶縁性本体と、前記絶縁性本体に固着される一列の上端子及び一列の下端子を含む複数の端子と、を備える。前記プラグコネクタの後端には、第１保持面及び第２保持面を有するプラットフォームが設けられる。前記複数の端子は、パワー端子と、接地端子と、検出端子と、を備える。前記上端子と下端子とはそれぞれ、前記収納孔の対向する二つの表面に配置される接触ビーム及び前記プラットフォームに延在する連接脚を有する。前記第１保持面には、少なくとも一つの前記パワー端子の連接脚と、一つの前記接地端子の連接脚とが露出される。前記第２保持面には、少なくとも一つの前記検出端子の連接脚が露出される。
【発明の効果】
【０００６】
従来の技術と比べると、本発明は以下の長所を有する。回路基板を省略し、端子の連接脚がケーブルと半田接続される。製造費用が減少される。
【図面の簡単な説明】
【０００７】
【図１】本発明の第１実施形態のプラグコネクタの組立斜視図である。
【図２】図１に示すプラグコネクタの部分の分解斜視図である。
【図３】図２に示すプラグコネクタを別の角度から見た斜視図である。
【図４】図２に示すプラグコネクタの分解斜視図である。
【図５】図４に示す端子モジュールの部分の分解斜視図である。
【図６】図５の別の角度から見た斜視図である。
【図７】図５に示す端子モジュールの分解斜視図である。
【図８】上端子モジュールと、下端子モジュールと、金属部品との斜視図である。
【図９】図３に示す線IX−IXに沿って切た断面図である。
【図１０】本発明の第２実施形態のプラグコネクタの組立斜視図である。
【図１１】抵抗がプラグコネクタに連接される斜視図である。
【図１２】図１１に類似する、抵抗がプラグコネクタに連接される別の斜視図である。
【図１３】図１０に示すプラグコネクタの分解斜視図である。
【図１４】図１３に示す線XIV―XIVに沿って切た断面図である。
【図１５】図１３に示す線XV―XVに沿って切た断面図である。
【図１６】図１３に示す絶縁性本体の分解斜視図である。
【図１７】上端子モジュールと下端子モジュールとの斜視図である。
【図１８】端子と金属部品との斜視図である。
【図１９】第３実施形態のプラグコネクタの斜視図である。
【図２０】図１９に示す上端子モジュール、下端子モジュールと、金属部品との分解斜視図である。
【図２１】図２０に示す上端子モジュール、下端子モジュールと、金属部品との組立斜視図である。
【発明を実施するための形態】
【０００８】
本発明の第１実施形態におけるプラグコネクタ７００は、図１〜図９に示される。図１〜図４に示すように、プラグコネクタ７００の前端には、ヘッド部７００ａが設けられる。プラグコネクタ７００の後端がケーブル８００と連接する。前記ヘッド部７００ａには、収納孔７０４が形成される。前記ヘッド部７００ａの後端には、第１保持面７３９１及び第２保持面７３９２を有するプラットフォーム７３９が設けられる。
【０００９】
前記ヘッド部７００ａには、一列の上端子７３０及び一列の下端子７３４を含む複数の端子が設けられる。上端子７３０及び下端子７３４の配置は、ＵＳＢ  ＴＹＰＥ  Ｃの規格を符合する。各端子は、前記収納孔７０４の対向する二つの表面に配置される接触ビーム７３０ａと、前記プラットフォーム７３９において延在する連接脚と、を有する。前記収納孔７０４に配置される一列の上端子７３０の接触ビーム７３０ａと、一列の下端子７３４の接触ビーム７３４ａとは、反方向に沿って対称に配置される。前記一対の信号端子の連接脚Ｓ（Ｄ）、パワー端子の連接脚Ｓ（Ｐ）と、接地端子の連接脚Ｓ（Ｇ）とは、前記プラットフォーム７３９の第１保持面７３９１に露出される。前記パワー端子の連接脚Ｓ（Ｐ）と、接地端子の連接脚Ｓ（Ｇ）とはそれぞれ、一対の信号端子の連接脚Ｓ（Ｄ）の両側に配置される。少なくとも一つの検出端子の連接脚Ｓ（ＣＣ）が第２保持面７３９２に露出される。前記連接脚脚Ｓ（Ｄ）、Ｓ（Ｐ）、Ｓ（Ｇ）、Ｓ（ＣＣ）は、前記ケーブル８００と半田接続される。
【００１０】
前記ケーブル８００うちのパワー線Ｗ（Ｐ）と、接地線Ｗ（Ｇ）と、一対の信号線Ｗ（Ｄ＋）と、Ｗ（Ｄ―）とはそれぞれ、前記プラットフォーム７３９の第１保持面７３９１に露出される連接脚Ｓ（Ｐ）と、Ｓ（Ｇ）と、Ｓ（Ｄ）とに半田接続される。これにより、ケーブルの半田接続が簡単になる。検出端子ＣＣの一部分及びパワー端子Ｐの一部分はそれぞれ、第２保持面７３９２に露出され、検出端子の連接脚Ｓ（ＣＣ）及び更なるパワー端子の連接脚Ｓ（Ｐ’）を形成する。抵抗Ｒが前記検出端子の連接脚Ｓ（ＣＣ）及び更なるパワー端子の間に半田接続され、プラグコネクタの使用状況を表明する。
【００１１】
金属カバー８０２が金属シェール７０１の後端に取り付けられ、ケーブル８００を遮蔽する。絶縁性シェール８０４が、金属カバー８０２にインサートモールドによって成型され、ケーブル８００を被覆する。これりより、ケーブル８００を有する完全なプラグコネクタ７００が成型される。
【００１２】
図５〜図９に示すように、前記プラグコネクタ７００は、上端子モジュール７２２及び下端子モジュール７２４を含む端子モジュール７２０と、前記上端子モジュール７２２及び下端子モジュール７２４の間に配置される金属部品７２６と、を備える。前記金属部品７２６は、収納孔２１に延在する一対の係合ビーム７２６２と、一対の尾部７２６１と、を有する。前記一対の係合ビーム７２６２には、互いに向かって突出する一対の係合鉤７２６３が設けられる。前記上端子モジュール７２２は、上絶縁性本体７２８及び前記上絶縁性本体７２８にインサートモールドによって固着される複数の上端子７３０を有する。前記下端子モジュール７２４は、下絶縁性本体７３２及び前記下絶縁性本体７３２にインサートモールドによって固着される複数の下端子７３４を有する。前記上絶縁性本体７２８には、一対の固定孔７３８が形成される。前記下絶縁性本体７３２には、前記一対の固定孔７３８に収納される一対の固定柱７３６が設けられる。前記上端子モジュール７２２と下端子モジュール７２４とが、前記絶縁性本体７０２に取り付けられる。前記プラットフォーム７３９は、前記収納孔７０４の後方に位置する。
【００１３】
前記下絶縁性本体７３２には、前記一対の固定柱７３６の間に位置する突出部７４０が設けられる。前記上絶縁性本体７２８には、前記突出部７４０が挿入される窪溝７４２が形成される。前記複数の下端子７３４は、特定の端子７３４’を含む。前記特定の端子７３４’は、前記突出部７４０に固着される。前記特定の端子７３４’の接触ビーム７３４ａは、他の下端子７３４の接触ビーム７３４ａより、高く、上端子７３０の接触ビーム７３０ａと実質的に面一になる。他の実施形態において、前記特定の端子７３４’が、前記上絶縁性本体７２８と成型され、突出部７４０を配置せず。本発明において、回路基板を省略し、端子の連接脚がケーブルと半田接続される。製造費用が減少される。
【００１４】
図５〜図９に示すように、前記一列の上端子７３０は、一対の上接地端子Ｇと、一対の上パワー端子Ｐと、ケーブルの使用状況を検出ための検出端子ＣＣと、を備える。前記一列の下端子７３４は、一対の下接地端子Ｇと、一対の下パワー端子Ｐと、一対の信号端子（Ｄ＋、Ｄ−）と、を備える。前記一対の信号端子は、前記突出部７４０に固着される一対の特定の端子７３４’である。前記一対の信号端子の接触ビームは、前記上端子７３０の接触ビーム７３０ａに届く。前記一対の信号端子の連接脚は、前記下端子７３４の連接脚に届く。前記一対の信号端子は、上端子７３０に属する。上、下パワー端子、接地端子と、信号端子の脚部は順番に、Ｔ（Ｐ）、Ｔ（Ｇ）、Ｔ（Ｄ）で標示される。
【００１５】
図７〜図９に示すように、前記一対の信号端子（Ｄ＋、Ｄ−）は、互いに離れる。各信号端子は、接触ビームと脚部Ｔ（Ｄ）を有する。前記信号端子の脚部が、プラットフォーム７３９の第１保持面７３９１に露出され、ケーブル８００と連接する連接脚Ｓ（Ｄ）が形成される。前記一対の上パワー端子は、互いに連接され、一つの脚部Ｔ（Ｐ）を共用する。前記一対の上パワー端子の後端には、第１橋部７３０１によって連接される。脚部Ｔ（Ｐ）は、第１橋部７３０１から側方向に向かって延在する。前記一対の下パワー端子は、互いに連接され、一つの脚部Ｔ（Ｐ）を共用する。前記一対の下パワー端子の後端には、第２橋部７３４１によって連接される。脚部Ｔ（Ｐ）は、第２橋部７３４１から前向きに延在する。上、下パワー端子の二つの脚部Ｔ（Ｐ）が重なることによって、四つのパワー端子が互いに接続される。下列に配置される脚部Ｔ（Ｐ）がプラットフォーム７３９の第１保持面７３９１に露出され、ケーブル８００と連接する連接脚Ｓ（Ｇ）が設けられる。上パワー端子の第１橋部７３０１の部分が、第２保持面７３９２に露出され、更なるパワー端子の連接脚Ｓ（Ｐ’）が形成される。検出端子ＣＣの脚部が検出端子の連接脚Ｓ（ＣＣ）が設けられる。
【００１６】
下絶縁性本体７３２の上表面が、半田接続区域が形成される。下端子７３４の部分の脚部Ｔ（Ｐ）、Ｔ（Ｇ）、Ｔ（Ｄ）が前記半田接続区域に固定され、面一になる。前記上端子７３０の脚部が、前記上絶縁性本体７２８の下表面に露出される。下絶縁性本体７３２が前記上絶縁性本体７２８に取り付けられた後、所定の上端子７３０と所定の下端子７３４とは、対応の脚部が互いに当接することによって、或いは第２橋部７３４１が連接されることによって、互いに接続される。具体的に、上端子モジュール７２２の上パワー端子Ｐと上接地端子Ｇとはそれぞれ、上絶縁性本体７２８の下表面に露出される。下端子モジュール７２４の下パワー端子Ｐと下接地端子Ｇとはそれぞれ、上絶縁性本体７２８の下表面に露出される。上パワー端子が下パワー端子に当接する。上接地端子が下接地端子に当接する。端子の脚部が上絶縁性本体７２８と下絶縁性本体７３２に嵌合される。部分の端子の脚部の半田接続面がプラットフォーム７３３に露出され、連接脚が形成される。図９に示すように、連接脚Ｓ（Ｇ）、Ｓ（Ｐ）とプラットフォーム７３３の間には、スリットＳが形成される。半田材料は、前記スリットＳに流れ、上、下接地端子或いは上、下パワー端子の互いの連接を補強する。
【００１７】
図１０〜図１８に掲示される第２実施形態のＵＳＢ２．０  ＴＹＰＥ  Ｃは、第１実施形態と類似である。図９〜図１２に示すように、前記ケーブルは、五つの線を含む。前記五つの線の内には、一つのパワー線１０２Ｐ、二つのＵＳＢ２．０線１０２Ｄと、一つの接地線１０２Ｇとが、一列に配置され、前記プラットフォーム２２の第１保持面（標号を示せず）に露出される端子の連接脚と半田接続される。前記五つの線の内の検出線１０２Ｃが、前記プラットフォーム２２の第２保持面２２２に露出される検出端子の連接脚３２Ｃと半田接続される。検出端子の連接脚３２Ｃの隣の更なるパワー端子の連接脚４２Ｐと更なる接地端子の連接脚４２Ｇとは、ケーブルに連接せず。プラットフォーム２２には、パワー端子の連接脚、更なる接地端子の連接脚の隣に半田材料が入るスロット２３が形成される。
【００１８】
図１１に示すように、ケーブルの別の使用状況が示される。ケーブルによって、データをＵＳＢ  ＴＹＰＥ  Ａから、ＵＳＢ  ＴＹＰＥ  Ｃまで転送される。抵抗１０５によって、検出端子の連接脚３２Ｃが更なる接地端子の連接脚４２Ｇと接続し、更なるパワー端子の連接脚４２Ｐが、ケーブルを連接せず、半田材料が被覆される。
【００１９】
図１２に示すように、ケーブルの他の使用状況が示される。ケーブルによって、データをＵＳＢ  ＴＹＰＥ  ＣからＵＳＢ  ＴＹＰＥ  Ａまで転送される。抵抗１０５によって、検出端子の連接脚３２Ｃが更なるパワー端子の連接脚４２Ｐと接続し、更なる接地端子の連接脚４２Ｇが、ケーブルを連接せず、半田材料が被覆される。もちろん、前記プラグコネクタがパワーだけと接続する時、ＵＳＢ２．０の端子を除く。
【００２０】
図１７及び図１８に示すように、一列の上端子３０は、複数の接触ビーム３１及び複数の脚部３２を備える。前記一列の下端子４０は、複数の接触ビーム４１及び複数の脚部４２を備える。上端子３０の接地端子の接触ビーム３１Ｇ、４１Ｇの隣には、更なる接触ビーム３１１、４１１が設けられる。前記更なる接触ビーム３１１、４１１は、前記接地端子の接触ビーム３１Ｇ、４１Ｇより、前向きに突出する。図１５に示すように、前記更なる接触ビーム３１１、４１１は、前記接地端子の接触ビーム３１Ｇ、４１Ｇより、横方向において前記収納孔２１から遠く離れる。
【００２１】
図１７に示すように、上端子モジュール１３の内の検出端子の連接脚３２Ｃが凸状の平面１３７に露出される。下端子モジュール１４には、前記凸状の平面１３７と係合する窪溝１４７が形成される。前記検出端子の連接脚３２Ｃがプラットフォーム２２の第２保持面２２２に位置する。
【００２２】
図１６に示すように、プラグ１００の絶縁性本体１２には、前端面１２１と後端面と、対向する二つの外壁１２２と、を備える。前記絶縁性本体１２には、収納孔２１と、後端面から延出し、前記収納孔２１と平行する平板部１２３とが設けられる。前記絶縁性本体１２には、前記収納孔２１と貫通する端子溝１２４が形成される。絶縁性本体１２の両側には、前記平板部１２３の側面を貫通する側溝１２６が形成される。
【００２３】
図１７に示すように、上端子モジュールのヘッド５５によって、一対の係合ビーム１２５を弾性に広げて。図１４に示すように、端子溝１２４の前端部には、絶縁片１２８が設けられる。接触ビーム３１、４１の前端が、前記絶縁片１２８の内側に位置する。相手コネクタが挿入される時、接触ビームが外へ当圧され、絶縁片１２８によって、接触ビーム３１、４１が前記金属シェール７０１を当接せず。更なる接触ビーム３１１、４１１に対応する端子溝１２４には、絶縁片を配置せず。
【００２４】
図１９〜図２１に示すように、第３実施形態のプラグコネクタ２００は、第２実施形態のプラグコネクタと類似である。第２実施形態の抵抗１０５の代わりに、表面半田型の抵抗６０が配置される。前記抵抗６０は、前記検出端子の連接脚に連接する第１連接点６１と、前記更なる接地端子の連接脚、或いは更なるパワー端子の連接脚Ｐ２の第２連接点６２に連接される。第２実施形態と同様に、前記プラグコネクタ２００が異なるケーブルと連接できる。
【００２５】
本実施形態のプラグコネクタのパワー端子或いは接地端子の連接部分が改善される。下端子４０の二つの接地端子Ｇは、第１橋部４１４によって連接される。第１橋部４１４は、接地端子Ｇの中間部から後方に延在して折り返して前向きに延在して、前記中間部の下方に配置される。二つのパワー端子Ｐは、前記中間部４１２に連接される。前記第１橋部４１４は、前向きに折り曲げられ、係合部材５０の梁部５３の後端に届く。
【００２６】
前記パワー端子、或いは接地端子にとって、横方向において、第１橋部７３０１、或いは第２橋部７３４１によって連接され、上下方向において、当接される。上端子３０の数量が多く、上端子３０のうちの一つのパワー端子に更なる脚部３１４が設けられる。下端子の数量が小さく、接地端子が横方向において、第１橋部４１４によって連接され、パワー端子が第２橋部４１５によって連接される。パワー端子が接地端子の内側に配置され、パワー端子の第２橋部４１５が中間部から横方向に向かって延在する。接地端子が外側に配置され、パワー端子と接触しないため、第１橋部４１４が後方に向かって延在して、横方向に向かって延在する。第１橋部４１４が脚部の後方に配置され、前向きに折り曲げられ、プラットフォームの前後方向の寸法が減少される。
【符号の説明】
【００２７】
１２３  平板部
１２８  絶縁片
１３  上端子モジュール
１３７  凸状の平面
１４  下端子モジュール
１４７  窪溝
２１  収納孔
３０  上端子
３１  接触ビーム
３１１  更なる接触ビーム
４０  下端子
４１４  第１橋部
４１５  第２橋部
５０  係合部材
５３  梁部
６１  第１連接点
６２  第２連接点
７００  プラグコネクタ
７００ａ  ヘッド部
７０１  金属シェール
７０２  絶縁性本体
７０４  収納孔
７０６  端子溝
７１４  絶縁片
７２２  上端子モジュール
７２４  下端子モジュール
７２６  金属部品
７２６１  尾部
７２６２  係合ビーム
７２６３  係合鉤
７２８  上絶縁性本体
７３０  上端子
７３０ａ、７３４ａ  接触ビーム
７３０１  第１橋部
７３２  下絶縁性本体
７３４  下端子
７３４１  第２橋部
７３６  固定柱
７３８  固定孔
７３９  プラットフォーム
７３９１  第１保持面
７３９２  第２保持面
７４０  突出部
７４２  窪溝
８００  ケーブル
８０２  金属カバー
８０４  絶縁性シェール
【図１】
2016213187.tif 000003
【図２】
2016213187.tif 000004
【図３】
2016213187.tif 000005
【図４】
2016213187.tif 000006
【図５】
2016213187.tif 000007
【図６】
2016213187.tif 000008
【図７】
2016213187.tif 000009
【図８】
2016213187.tif 000010
【図９】
2016213187.tif 000011
【図１０】
2016213187.tif 000012
【図１１】
2016213187.tif 000013
【図１２】
2016213187.tif 000014
【図１３】
2016213187.tif 000015
【図１４】
2016213187.tif 000016
【図１５】
2016213187.tif 000017
【図１６】
2016213187.tif 000018
【図１７】
2016213187.tif 000019
【図１８】
2016213187.tif 000020
【図１９】
2016213187.tif 000021
【図２０】
2016213187.tif 000022
【図２１】
2016213187.tif 000023